(57)【特許請求の範囲】
【請求項１】
頭髪の任意の１本〜数本の束からなる被増毛用髪に増毛用髪を装着し、該被増毛用髪の基端部に複数本の増毛用髪を配する頭髪増毛具であって、該被増毛用髪を挿入可能な筒状本体部を有し、該筒状本体部に直接または間接的に複数本の増毛用髪を植設し、また該筒状本体部の内周に該筒状本体部が該被増毛用髪から抜けるのを阻止する複数個の弾性突起または凹凸を設け、これらの弾性突起または凹凸の先端が被増毛用髪から抜ける方向に向くことを特徴とする頭髪増毛具。
【請求項２】
前記筒状本体部が、柔軟性を有する微小筒体である請求項１に記載の頭髪増毛具。
【請求項３】
複数個の筒状本体部を有し、該筒状本体部を複数の開口を有するシート体で連結している請求項１または２に記載の頭髪増毛具。
【請求項４】
前記シート体に複数本の増毛用髪を植設してなる請求項３に記載の頭髪増毛具。
【発明の詳細な説明】
【０００１】
【発明の属する技術分野】
本発明は、頭髪増毛具に係り、より詳細には、増毛用髪（かつらを含む）を装着するに際し、頭髪の伸びに対して、該増毛用髪の端部を頭部表皮近傍に位置調整できる頭髪増毛具に関する。
【０００２】
【従来の技術】
従来、頭髪の増毛には、通常、『かつら』を用いる。しかし、『かつら』の場合、テープ等によって頭皮に接着したり、クリップによって被増毛用髪に固定する方法であるので、その装着脱が不便であり、また『かつら』であることの判別が容易にできるという課題がある。そこで、近年では、頭髪の任意の１本〜数本の束からなる被増毛用髪の基端部の頭皮部分に複数本の増毛用髪を括り付けることも試みられている。
【０００３】
【発明が解決しようとする課題】
しかし、上述した前記頭髪における増毛方法の場合、
▲１▼  頭髪は、時間と共に伸長するため、該毛髪の基端部の位置が伸び、増毛用髪の位置がずれてしまう。そのため、該増毛用髪が浮いた状態となる。
▲２▼  この場合、その都度、該増毛用髪の位置を毛髪の基端部にずらす必要が生じるが、該増毛用髪は、該毛髪の基端部に強固に括り付けられているので、その位置調整が容易に行えない。
等の課題がある。
【０００４】
本発明は、以上のような問題点に対処して創案したものであって、その目的とする処は、増毛用髪（かつらを含む）を装着するに際し、頭髪の伸びに対して、該増毛用髪の端部を頭部表皮近傍に位置調整できる頭髪増毛具を提供することにある。
【０００５】
【課題を解決するための手段】
そして、上記課題を解決するための手段としての本発明の請求項１の頭髪増毛具は、頭髪の任意の１本〜数本の束からなる被増毛用髪に増毛用髪を装着し、該被増毛用髪の基端部に複数本の増毛用髪を配する頭髪増毛具であって、該被増毛用髪を挿入可能な筒状本体部を有し、該筒状本体部に直接または間接的に複数本の増毛用髪を植設し、また該筒状本体部の内周に該筒状本体部が該被増毛用髪から抜けるのを阻止する複数個の弾性突起を設け、これらの弾性突起または凹凸の先端が被増毛用髪から抜ける方向に向くことを特徴とする。
【０００６】
請求項２の頭髪増毛具は、前記請求項１の頭髪増毛具において、前記筒状本体部が、柔軟性を有する微小筒体であることを特徴とする。請求項３の頭髪増毛具は、前記請求項１または２の頭髪増毛具において、複数個の筒状本体部を有し、該筒状本体部を複数の開口を有するシート体で連結していることを特徴とする。また請求項４の頭髪増毛具は、前記請求項３の頭髪増毛具において、前記シート体に複数本の増毛用髪を植設してなることを特徴とする。
【０００７】
ここで、前記微小筒体は、ポリ塩化ビニル、ポリアミド等の合成樹脂製の筒体が好ましく、該筒体内部に突起を一体として形成してあり、かつ被増毛用髪（一本または複数本）に被嵌できる程度の内径を有する筒体である。また前記突起は、繊毛状片、凸状片、あるいは該繊毛状片、凸状片が筒体内周方向に沿うリング状に形成した突起が好ましい。
【０００８】
そして、本発明の頭髪増毛具は、被増毛用髪に筒状本体部を被嵌し、該筒状本体部を押圧すると、筒体内部に形成されている弾性突起が被増毛用髪を摺って下動させることができるので、該筒状本体部を被増毛用髪の付け根部分に装着・固定することができる。ところで、該被増毛用髪は自然に伸長するので、該筒状本体部も被増毛用髪につれて上動することになる。また、被増毛用髪の劣化等によっても、筒状本体部に位置ずれが発生する。この場合、該筒状本体部を軽く叩くことによって、該筒状本体部を被増毛用髪の付け根部分に移動させることができる。
【０００９】
以上の説明から明らかなように、本発明の請求項１の頭髪増毛具によれば、複数本の増毛用髪を直接または間接的に植設した筒状本体部を被増毛用髪に被嵌する増毛具であるので、その増毛が簡単に行え、該筒状本体部の内周に該筒状本体部が該被増毛用髪から抜けるのを阻止する複数個の弾性突起または凹凸により、該増毛用髪の所定位置に保持でき、かつ簡単に位置調整ができるという効果を有する。また、弾性突起または凹凸の先端が被増毛用髪から抜ける方向に向く突起としているので、該被増毛用髪から脱落するのを防止できるという効果を有する。
【００１０】
請求項２の頭髪増毛具によれば、前記効果に加えて、筒状本体部が柔軟性を有する微小筒体であるので、被増毛用髪の動きに追随させることができるという効果を有する。請求項３または４の頭髪増毛具によれば、前記効果に加えて、複数個の筒状本体部を有し、該筒状本体部を複数の開口を有するシート体で連結しているので、かつらに適用することができ、かつ接着具を必要としないので、その装着が簡単で、通気性が良好となるという効果を有する。
【００１１】
【発明の実施の形態】
以下、図面を参照しながら、本発明を具体化した実施例について説明する。ここに、図１〜図７は、本発明の実施形態を示し、図１は頭髪増毛具を拡大した斜視図、図２は断面図、図３はシート体の平面図、図４はかつらに形成した頭髪増毛具の断面図、図５は図４の頭髪増毛具の装着状態を示す説明図、図６は筒状本体部の別の実施形態の断面図、図７は突起または凹凸の別の実施形態の断面図である。
【００１２】
本実施例の頭髪増毛具は、頭髪を増毛するための頭部への装着具であって、概略すると、図１〜図２に示すように、筒状本体部１と、筒状本体部１の内周１ａに形成された突起または凹凸２、および筒状本体部１の外周１ｂに植設された増毛用髪３からなる。
【００１３】
筒状本体部１は、一本または複数本の被増毛用髪ａに被嵌可能な内径を有する微小筒体で、柔軟性を備えた材質からなり、一般的には、ポリ塩化ビニル、ポリアミド等の合成樹脂で形成してある。そして、該微小筒体は、その内径が、５０μｍ〜２ｍｍ程度、長さが１ｍｍ〜５ｍｍ程度の筒体としている。ここで、該筒体は、一本の被増毛用髪ａに被嵌する場合は、上下方向が同寸からなる筒体で形成するが、複数本の被増毛用髪ａを束ねた状態で被嵌する場合は、図６に示すように、筒状本体部１の下方部位１ｃが円筒錐形あるいはラッパ状に末広がりとなる形態とすることが好ましい。これにより、装着した際、筒状本体部１の下方部位１ｃが頭皮近傍に保持できるという利点を有する。
【００１４】
突起又は凹凸２は、被増毛用髪ａから筒状本体部１の微小筒体が抜けるのを防止すると同時に、被増毛用髪ａに弾性係合させるための係合体である。突起又は凹凸２は、被増毛用髪ａと弾性変形をして被増毛用髪ａに係合する形状、形態からなり、ポリ塩化ビニル、ポリアミド等の合成樹脂で筒状本体部１と一体に成形されている。また、突起又は凹凸２は、その先端２ａが、被増毛用髪ａから抜ける方向に向くリング状の突起又は凹凸である。しかし、リング状に限られるのでなく、部分的に設けた形態でもよい。その角度αは、３０〜９０°からなり、その先端２ａが弾性変形する。これにより、抜け落ちる方向には、移動が規制され、頭皮方向には、移動を許容できることになり、筒状本体部１を簡単に頭皮側に係合保持できることになる。また突起又は凹凸２の突出長さは、微小筒体の内径によって異なるが、一般的には、筒体内径の１／３〜２／３程度で、少なくとも筒体に挿入した被増毛用髪ａを弾性変形して保持できる長さが必要である。また、突起または凹凸２は、図７に示すように、三角形状、鋸歯状とすることもできる。この場合は、成形性が良好で、十分な弾性変形による被増毛用髪ａを保持できる。
【００１５】
増毛用髪３は、筒状本体部１の外周（上端または／および外側面）１ｂに植設され、この植設本数は、任意の本数（例えば、一本〜数十本）を設定できる。この増毛用髪３は、人工繊維、あるいは人毛を用いることができる。
【００１６】
そして、本実施形態の頭髪増毛具は、増毛しようとする部分に位置する被増毛用髪ａに筒状本体部１を被嵌し、この筒状本体部１を下動させて、被増毛用髪ａの付け根（基端）部分に位置させることで装着できる。すなわち、筒状本体部１の微小筒体の内部には複数個の突起又は凹凸２が設けてあり、この突起又は凹凸２が被増毛用髪ａと接触して弾性変形し、被増毛用髪ａに装着すると、その位置が突起又は凹凸２により保持されることになる。ところで、被増毛用髪ａは、伸長するため、該伸長につれて筒状本体部１は、相対的にその位置が上方に移動することになる。この場合には、この筒状本体部１を上部から押すと、突起又は凹凸２により下動し、再び、前記被増毛用髪ａの付け根（基端）部分に位置させることができる。
【００１７】
このように、本実施形態にあっては、被増毛用髪ａに増毛用髪３を括り付けるという手数必要としないので、その装着が容易に行え、また増毛数を任意に設定できるると共に、その取りつけ位置を容易に移動可能となる。従って、従来の増毛法に比べて、その装着性が良好になり、また位置補正も簡単に行える。
【００１８】
図３〜図４は、前述した実施形態の頭髪増毛具を鬘（かつら）に適用した場合の実施形態である。この頭髪増毛具は、複数個の筒状本体部１を連結して多数の孔４を形成したシート体５とし、これを『かつら』とした実施形態である。このシート体５は、不織布、布あるいは繊維によって形成することができ、増毛する必要のない部分には孔４が形成してある。この孔４からは、かつら装着者の自分の頭髪を挿入できる。そして、このかつらの場合は、その位置がずれた場合は、かつらの上方から軽くたたくことによって、筒状本体部１を容易に下方向に移動させることができ、その装着、位置変更が容易に行える。
【００１９】
この実施形態にあっては、増毛する必要のある複数の部分（箇所）に筒状本体部１を位置させて、この筒状本体部１を連結することで、部分鬘が簡単に形成できるという利点を有する。なお、本発明は、上述した実施形態に限定されるものでなく、本発明の主旨を逸脱しない範囲内で変形実施できる構成を含むことは当然である。
【図面の簡単な説明】
【図１】本発明の実施形態を示す頭髪増毛具を拡大した斜視図である。
【図２】図１の断面図である。
【図３】シート体（かつら）の平面図である。
【図４】かつらに形成した頭髪増毛具の断面図である。
【図５】図４の頭髪増毛具の装着状態を示す説明図である。
【図６】筒状本体部の別の実施形態の断面図である。
【図７】突起または凹凸の別の実施形態の断面図である。
【符号の説明】
１・・・筒状本体部、１ａ・・・筒状本体部の内周、１ｂ・・・筒状本体部の外周、１ｃ・・・筒状本体部の下方部位、２・・・突起又は凹凸、２ａ・・・突起又は凹凸の先端、３・・・増毛用髪、ａ・・・被増毛用髪、４・・・孔、５・・・シート体
【図１】
0003698500.tif 000002
【図２】
0003698500.tif 000003
【図３】
0003698500.tif 000004
【図４】
0003698500.tif 000005
【図５】
0003698500.tif 000006
【図６】
0003698500.tif 000007
【図７】
0003698500.tif 000008